(57)【要約】【課題】樹脂製の芯材を埋設した自動車用ウェザーストリップの押出成形品の端部同士を型成形接続する際に、芯材が軟化してウェザーストリップが変形することを抑制する断熱性金型構造を提供する。【解決手段】樹脂製の芯材１３が埋設された断面Ｕ字状の取付基部１２に中空シール部１４が一体的に押出成形されてなる自動車用ウェザーストリップ１０の端部同士を所定間隔をあけて対向させた状態で保持し、前記所定間隔に型成形材料を注入して型成形接続するための金型構造１であって、前記中空シール部１４と取付基部１２の内側部分を除く部分であって、前記芯材１３が埋設された取付基部１２を囲むようにして断熱材２を金型に設けてなる。【選択図】      図１
2005329604.tif 000002
【特許請求の範囲】
【請求項１】
少なくとも樹脂製の芯材が埋設された取付基部が押出成形されてなる自動車用ウエザーストリップの端部同士を所定間隔をあけて対向させた状態で保持し、前記所定間隔に型成形材料を注入して型成形接続するための金型構造であって、
前記芯材が埋設された取付基部を囲むようにして断熱材を金型に設けてなることを特徴とする断熱性金型構造。
【請求項２】
樹脂製の芯材が埋設された断面Ｕ字状の取付基部に中空シール部が一体的に押出成形されてなる自動車用ウェザーストリップの端部同士を所定間隔をあけて対向させた状態で保持し、前記所定間隔に型成形材料を注入して型成形接続するための金型構造であって、
前記中空シール部と取付基部の内側部分を除く部分であって、前記芯材が埋設された取付基部を囲むようにして断熱材を金型に設けてなることを特徴とする断熱性金型構造。
【請求項３】
前記中空シール部は、前記取付基部の側面に一体成形されたものであることを特徴とする請求項２に記載の断熱性金型構造。
【請求項４】
前記中空シール部は、前記取付基部の側面間を連結する底面に一体成形されたものであることを特徴とする請求項２に記載の断熱性金型構造。
【請求項５】
前記取付基部の内側部分にも更に断熱材を設けてなることを特徴とする請求項２乃至４のうちいずれか一つに記載の断熱性金型構造。
【請求項６】
前記断熱材の前記所定間隔側の先端を、前記金型で保持された自動車用ウェザーストリップの端部から、対向する端部側とは逆側に僅かに後退させてなることを特徴とする請求項１乃至５のうちいずれか一つに記載の断熱性金型構造。
【発明の詳細な説明】
【技術分野】
【０００１】
本発明は、樹脂製の芯材を埋設した自動車用ウェザーストリップの押出成形品の端部同士を型成形接続する断熱性金型構造に関するものである。
【背景技術】
【０００２】
自動車用ウェザーストリップは、通常、金属製の芯材を配した押出成形品の端部同士を対向させた状態で金型内で保持し、その金型内に溶融ゴム材等の型成形材料を注入して前記端部同士を型成形接続している。
【０００３】
近年、ウェザーストリップの軽量化およびリサイクル化の要求が強まる中で、芯材を金属製から樹脂製に代えた押出成形品が多く使用されているが、従来の通常の金型によって、樹脂製の芯材を埋設した押出成形品の端部同士を型成形接続すると、芯材が金型の熱によって軟化してしまう。そのため、押出成形品が、金型内に注入されたゴム材等の圧力によって変形し、浮き上がることにより外観の見栄えが低下するといった問題が発生する。
これは、樹脂製の芯材の耐熱温度が約１６０℃であるため、金型をこの温度条件に対応させると型成形接続時間が大幅に長くなるので、金型温度をそれより高く設定して接続時間を短縮していることに起因するものである。
【０００４】
こうした変形の問題を解決するために金型に断熱材を設けることが考えられる。また、これまでに金型に断熱材を設けた技術は存在する（例えば、特許文献１参照）。
【特許文献１】特公平７−２０６１９号公報
【発明の開示】
【発明が解決しようとする課題】
【０００５】
しかしながら、特許文献１に記載の技術は、押出成形品であるゴム一次成形体（１００）にコーナー部を形成すべく、切除部分（１０６）を形成し、金型内でこの切除部分（１０６）にゴム材を注入するものであり、断熱材１５は、芯材（板金インサート１０４）に金型の熱が伝わるのを抑制するようには設けられていない。
従って、この従来技術において、板金インサート（１０４）に代えて、樹脂製の芯材を使用すると、当該芯材は軟化し、ウェザーストリップは変形してしまうため、冷却水等による金型冷却が必要となっている。
【０００６】
そこで、本発明の目的とするところは、樹脂製の芯材を埋設した自動車用ウェザーストリップの押出成形品の端部同士を型成形接続する際に、芯材が軟化してウェザーストリップが変形することを抑制する断熱性金型構造を提供することにある。
【課題を解決するための手段】
【０００７】
上記の目的を達成するために、本発明の請求項１に記載の断熱性金型構造は、少なくとも樹脂製の芯材（１３，２３，３３）が埋設された取付基部（１２，２２，３２）が押出成形されてなる自動車用ウェザーストリップ（１０，２０，３０）の端部同士を所定間隔をあけて対向させた状態で保持し、前記所定間隔に型成形材料を注入して型成形接続するための金型構造（１）であって、前記芯材（１３，２３，３３）が埋設された取付基部（１２，２２，３２）を囲むようにして断熱材（２）を金型に設けてなることを特徴とする。
【０００８】
また、請求項２に記載の発明は、樹脂製の芯材（１３，２３）が埋設された断面Ｕ字状の取付基部（１２，２２）に中空シール部（１４，２４）が一体的に押出成形されてなる自動車用ウェザーストリップ（１０，２０）の端部同士を所定間隔をあけて対向させた状態で保持し、前記所定間隔に型成形材料を注入して型成形接続するための金型構造（１）であって、前記中空シール部（１４，２４）と取付基部（１２，２２）の内側部分を除く部分であって、前記芯材（１３，２３）が埋設された取付基部（１２，２２）を囲むようにして断熱材（２）を金型に設けてなることを特徴とする。
【０００９】
また、請求項３に記載の発明は、前記中空シール部（１４）は、前記取付基部（１２）の側面に一体成形されたものであることを特徴とする。
【００１０】
また、請求項４に記載の発明は、前記中空シール部（２４）は、前記取付基部（２２）の側面間を連結する底面に一体成形されたものであることを特徴とする。
【００１１】
さらに、請求項５に記載の発明は、前記取付基部（１２，２２，３２）の内側部分にも更に断熱材（２）を設けてなることを特徴とする。
【００１２】
またさらに、請求項６に記載の発明は、前記断熱材（２）の前記所定間隔側の先端（２ａ）を、前記金型で保持された自動車用ウェザーストリップ（１０）の端部（Ｃ）から、対向する端部側とは逆側に僅かに、例えば、１〜５ｍｍ程度後退させてなることを特徴とする。
【００１３】
なお、カッコ内の記号は、図面および後述する発明を実施するための最良の形態に記載された対応要素または対応事項を示す。
【発明の効果】
【００１４】
本発明の請求項１に記載の断熱性金型構造によれば、芯材が埋設された取付基部を囲むようにして断熱材を金型に設けたので、金型の熱が芯材に伝わるのを抑制することができる。従って、芯材が熱によって軟化し、金型内に注入される型成形材料の圧力によってウェザーストリップが変形することがなく、外観性に優れる。
【００１５】
本発明の請求項２に記載の断熱性金型構造によれば、中空シール部と、取付基部の内側部分を除く部分であって、芯材が埋設された取付基部を囲むようにして断熱材を金型に設けたので、金型の熱が芯材に伝わるのを抑制することができる。従って、芯材が熱によって軟化し、金型内に注入される型成形材料の圧力によってウェザーストリップが変形することがなく、外観性に優れる。
【００１６】
また、請求項３や請求項４に記載の発明のように、種々のタイプの自動車用ウェザーストリップの型成形金型として適用することができる。
【００１７】
さらに、請求項５に記載の発明によれば、請求項２乃至４に記載の発明の作用効果に加えて、取付基部の内側部分にも断熱材を設けているので、芯材の軟化をより効果的に抑制することができ、ウェザーストリップの変形をさらに防止することができる。
【００１８】
またさらに、請求項６に記載の発明によれば、請求項１乃至５に記載の発明の作用効果に加えて、断熱材の先端を、押出成形品の末端である接続位置から１〜５ｍｍ程度僅かに後退させたので、ウェザーストリップ型成形部の接続位置にバリが発生するのを防止することができる。
【発明を実施するための最良の形態】
【００１９】
図１および図２を参照して、本発明の第一実施形態に係る断熱性金型構造１について説明する。図１は断熱性金型構造１を示す平面図であり（上型３を除いた状態）、図２は図１のＡ−Ａ線断面図である。なお、図１のＢ−Ｂ線断面図もＡ−Ａ線断面図と同様な形状をしている。
【００２０】
この断熱性金型構造１は、自動車用のドアウェザーストリップ１０を形成する押出成形品１１の端部同士を所定間隔をあけて対向させた状態で金型内に保持し、前記所定間隔に型成形材料を注入して、押出成形品１１の端部同士を型成形接続するための金型構造である。この押出成形品１１は、断面Ｕ字状で、例えば熱可塑性樹脂製等の樹脂製の芯材１３が埋設された、同じく断面Ｕ字状の取付基部１２と、その取付基部１２の側面に一体的に押出成形された中空シール部１４と、取付基部１２の他方の側面から突設されたシール部１５とで構成される。なお、シール部１５は省いてもよい。
【００２１】
この金型構造１には、押出成形品１１の中空シール部１４と、断面Ｕ字状の取付基部１２の内側部分を除く部分に、芯材１３が埋設された取付基部１２を囲むようにして断熱材２を金型に設けている。すなわち、この金型構造１は、上型３、下型４、第一割型５、第二割型６、第三割型７、第四割型８および第五割型９で構成し、第一割型５、第二割型６および第五割型９の上部にそれぞれ断熱材２をボルトで取付けている。第一割型５と第二割型６はこの順に上型３と下型４の間で、取付基部１２の開口部とは逆側に設けられ、第三割型７、第四割型８および第五割型９はこの順に上型３と下型４の間で、取付基部１２の開口部側に設けられている。
【００２２】
断熱材２を形成する物質としては、圧縮強度：４００Ｍｐａ以上、熱伝導率：０．３Ｗ／ｍｋ以下、耐熱性：３００℃以上で、機械加工が可能なものが望ましい。
【００２３】
また、この金型構造１における断熱材２は、その先端２ａを、押出成形品１１と型成形部１７との接続位置Ｃから１〜５ｍｍ程度、僅かに後退させている。これにより接続位置Ｃにバリが発生することが防止される。１ｍｍ未満では、ウェザーストリップ型成形部にバリが発生する可能性が高くなり、５ｍｍをこえると、樹脂等の芯材に熱が伝わり、変形しウェザーストリップの外観が悪化する。
【００２４】
なお、断熱材２を設ける代わりに、金型構造を短くして芯材１３の軟化を抑制することも考えられるが、そうすると金型で押出成形品１１の端部を保持することができないため、押出成形品１１が注入した型成形材料の圧力で押され、ズレやオーバーラップが発生し、好ましくない。また、金型構造を部分的に冷却水等により冷却することも考えられるが、金型構造が複雑化し、冷却設備が必要となるので不利である。
【００２５】
この点、本実施形態に係る断熱性金型構造１は、所定箇所に断熱材２を設けたので、金型温度を下げることなく熱可塑性樹脂製の芯材１３が軟化するのを防止することができる。ちなみに、断熱材２を設けない通常の金型で芯材１３の軟化を防止しながら型成形接続するためには、金型の温度を１６０℃に設定し、１５分の型成形接続時間を必要とするが、本実施形態に係る金型構造１では、金型温度を１８５℃に設定し、３分で型成形接続を行うことができる。
【００２６】
次に図３を参照して、本発明の第二実施形態に係る断熱性金型構造１について説明する。図３はその断熱性金型構造１の要部を示す断面図である。
この金型構造１は、図２で示した第四割型８に断熱材２をさらに取付け、取付基部１２の内側部分にも断熱材２を設けている。これにより、金型の熱が芯材１３に伝わるのをさらに抑制することができ、当該芯材１３の軟化およびウェザーストリップ１０の変形をより効果的に防止することができる。なお、本金型構造１で型成形接続するウェザーストリップ１０には、リップ部１６を設けているが限定されるものではない。
【００２７】
次に図４を参照して、本発明の第三実施形態に係る断熱性金型構造１について説明する。図４はその断熱性金型構造１の要部を示す断面図である。
第一，二実施形態に係る断熱性金型構造１では、取付基部１２の一側面に中空シール部１４を設けた自動車用ウェザーストリップ１０の端部同士を型成形接続するものを示したが、樹脂製芯材２３の埋設された取付基部２２の両側面間を連結する底面に、中空シール部２４を一体的に押出成形した、例えば、トランクリッド等に使用される自動車用ウェザーストリップ２０においても適用可能である。この場合、中空シール部２４を除くようにして、芯材２３の埋設された取付基部２２を囲むようにして断熱材２が金型に設けられている。
【００２８】
次に図５を参照して、本発明の第四実施形態に係る断熱性金型構造１について説明する。図５はその断熱性金型構造１の要部を示す断面図である。
第一，二，三実施形態に係る断熱性金型構造１では、取付基部１２，２２に中空シール部１４，２４を設けた自動車用ウェザーストリップ１０，２０の端部同士を型成形接続するものを示したが、中空シール部１４，２４が一体成形されておらず、樹脂製芯材３３の埋設された取付基部３２だけからなる自動車用ウェザーストリップ３０においても適用可能である。この場合、芯材３３の埋設された取付基部３２の全体を囲むようにして断熱材２が金型に設けられている。
【００２９】
本発明の第一実施形態，第二実施形態および第三実施形態に係る断熱性金型構造では、５個の割型を設け、また第四実施形態に係る断熱性金型構造では３個の割型を設けて構成しているが、本発明の実施はこうした構成に限定されるものではなく、割型の数は適宜設定することができる。
また、本発明の実施形態では、断面Ｕ字状の芯材が埋設された、同じく断面Ｕ字状の取付基部を示したが、芯材が埋設された取付基部の部位を囲むように断熱材を設ければ効果があるので、芯材や取付基部の形状は、断面Ｕ字状に限定されるものではなく、断面Ｌ字状でも断面Ｉ字状でも適用可能である。
【図面の簡単な説明】
【００３０】
【図１】本発明の第一実施形態に係る断熱性金型構造を示す平面図である（上型を除いた状態）。
【図２】図１のＡ−Ａ線断面図である。
【図３】本発明の第二実施形態に係る断熱性金型構造の要部を示す断面図である。
【図４】本発明の第三実施形態に係る断熱性金型構造の要部を示す断面図である。
【図５】本発明の第四実施形態に係る断熱性金型構造の要部を示す断面図である。
【符号の説明】
【００３１】
１      断熱性金型構造
２      断熱材
２ａ    先端
３      上型
４      下型
５      第一割型
６      第二割型
７      第三割型
８      第四割型
９      第五割型
１０，２０，３０      ウェザーストリップ
１１      押出成形品
１２，２２，３２      取付基部
１３，２３，３３      芯材
１４，２４      中空シール部
１５      シール部
１６，２６，３６      リップ部
１７      型成形部
Ｃ      接続位置
【図１】
2005329604.tif 000003
【図２】
2005329604.tif 000004
【図３】
2005329604.tif 000005
【図４】
2005329604.tif 000006
【図５】
2005329604.tif 000007